(57)【要約】【課題】支柱から取り外された器具本体の取扱性及び利便性を向上させた屋外用照明器具及びそれを備えた照明灯を提供することを目的とする。【解決手段】屋外に設置された支柱１に対して着脱可能に取り付けられる器具本体２０と、該器具本体２０の下面に設けられる光源部２１とを備えてなる照明器具２であって、断面柱形状に形成され、一端部が前記器具本体２０と一体的に接続された支持部材２２と、前記支柱１の側壁に支持部材２２を着脱可能に取り付けるボルト２３及び支持管２８と、前記支柱１から取り外された支持部材２２を、前記光源部２１が略垂直下方を向くようにして立設させる機台２４とを具備してなる。【選択図】図１
2008198442.tif 000002
【特許請求の範囲】
【請求項１】
屋外に設置された支柱に対して着脱可能に取り付けられる器具本体と、該器具本体の下面に設けられる光源部とを備えてなる屋外用照明器具であって、
断面柱形状に形成され、一端部が前記器具本体と一体的に接続される支持部材と、
前記支柱の側壁に支持部材を着脱可能に取り付ける取付部材と、
前記支柱から取り外された支持部材を、前記光源部が略垂直下方を向くようにして立設させる立設部材とを具備してなることを特徴とする屋外用照明器具。
【請求項２】
前記取付部材は、前記支持部材を挿入支持する支持管と、該支持管と支持部材とを一体的に固定するネジ部材とより形成されることを特徴とする請求項１に記載の屋外用照明器具。
【請求項３】
前記立設部材は、前記支持部材の他端部が略直角に取り付けられる板状部材より形成されることを特徴とする請求項１又は請求項２に記載の屋外用照明器具。
【請求項４】
前記光源部は、白色系と青色系の２色の照射光を同時に照射することを特徴とする請求項１乃至請求項３のいずれか一項に記載の屋外用照明器具。
【請求項５】
前記請求項１乃至請求項４のいずれか一項に記載の屋外用照明器具を備えてなることを特徴とする照明灯。
【請求項６】
太陽電池及び／又は風力発電装置と、記太陽電池及び／又は風力発電装置で発電された電力を蓄電する蓄電装置とを有する自動蓄電手段を備えてなることを特徴とする請求項５に記載の照明灯。
【請求項７】
前記自動蓄電手段は、前記蓄電装置から延出された２系統の電線を有し、支柱に対する前記支持部材の着脱状態に関らず、前記光源部に電力を供給可能に構成されることを特徴とする請求項６に記載の照明灯。
【発明の詳細な説明】
【技術分野】
【０００１】
本発明は、屋外用照明器具、及びそれを備えた照明灯に関し、より詳細には、屋外に設置された支柱に対して着脱可能に取り付けられる器具本体と、該器具本体の下面に設けられる光源部とを備えてなる屋外用照明器具の改良技術に関する。
【背景技術】
【０００２】
市街地の道路・交差点・駐車場・公園などには、街路灯や防犯灯などの照明灯が配置されている。このような照明灯に設けられる屋外用照明器具は、通常、屋外に設置された支柱に器具本体が取り付けられるとともに、灯具本体の下面には蛍光灯や白熱電灯などが配設された光源部が設けられており、光源部より器具本体の下方領域に照射光が照射される。
【０００３】
ところで、地震や津波等の災害時には、照明灯の中には、支柱や照明器具などが倒壊又は破損してしまって、照明手段としての光源を確保できない、又は不足する事態が想定される。特に、災害時の避難地域には多くの住民が避難するため、かかる場所では、照明灯などの光源が不足することを是非とも避けたいという事情がある。
【０００４】
かかる観点から、例えば、特許文献１には、少なくとも蓄電装置と発光ダイオードを具備した着脱可能な照明装置（照明器具）によって、一部、又は全てが構成される照明表示装置が開示されている（特許文献１参照）。かかる照明表示装置は、電力供給手段としての蓄電装置と、光源部としては発光ダイオード照明装置が着脱可能とされているため、災害時には、照明表示装置の一部、又は全てを取り外して、外部で使用することができるものである。
【特許文献１】特開２００３−３０３５０１号公報
【発明の開示】
【発明が解決しようとする課題】
【０００５】
なるほど、上述した特許文献１に開示される照明表示装置のように、照明表示装置の一部、又は全てを取り外して、外部で使用することができるように構成されることで、例えば、災害時に照明灯が倒壊又は破損して光源が不足する場所まで照明表示装置の一部を搬送して、照明手段として使用することができる。
【０００６】
しかしながら、上述した特許文献１に開示される照明表示装置には、取り外された照明装置（照明器具）を支持する部材を備えていないため、取り外された器具本体の利便性に劣っていた。
すなわち、本体より取り外された照明器具は、外部の所定の場所に搬送された後には、何れかの場所に固定させる必要があるが、例えば、地面等に置いた状態で使用すると、位置決めされないために照射光による照射先を固定できず、特に、高所に置いた状態で使用すると、照射光を下方に向けて照射させる状態を維持するのが困難であった。そのため、従来の構成では、災害時の救護活動の際に必要な手明かり用の照明器具として用いることができなかった。
【０００７】
そこで、本発明においては、屋外用照明器具及びそれを備えた照明灯に関し、前記従来の課題を解決するもので、支柱から取り外された器具本体の取扱性及び利便性を向上させた屋外用照明器具及びそれを備えた照明灯を提供することを目的とする。
【課題を解決するための手段】
【０００８】
本発明の解決しようとする課題は以上の如くであり、次にこの課題を解決するための手段を説明する。
【０００９】
すなわち、請求項１においては、屋外に設置された支柱に対して着脱可能に取り付けられる器具本体と、該器具本体の下面に設けられる光源部とを備えてなる屋外用照明器具であって、断面柱形状に形成され、一端部が前記器具本体と一体的に接続される支持部材と、前記支柱の側壁に支持部材を着脱可能に取り付ける取付部材と、前記支柱から取り外された支持部材を、前記光源部が略垂直下方を向くようにして立設させる立設部材とを具備してなるものである。
【００１０】
請求項２においては、前記取付部材は、前記支持部材を挿入支持する支持管と、該支持管と支持部材とを一体的に固定するネジ部材とより形成されるものである。
【００１１】
請求項３においては、前記立設部材は、前記支持部材の他端部が略直角に取り付けられる板状部材より形成されるものである。
【００１２】
請求項４においては、前記光源部は、白色系と青色系の２色の照射光を同時に照射するものである。
【００１３】
請求項５においては、前記請求項１乃至請求項４のいずれか一項に記載の屋外用照明器具を備えてなるものである。
【００１４】
請求項６においては、太陽電池及び／又は風力発電装置と、記太陽電池及び／又は風力発電装置で発電された電力を蓄電する蓄電装置とを有する自動蓄電手段を備えてなるものである。
【００１５】
請求項７においては、前記自動蓄電手段は、前記蓄電装置から延出された２系統の電線を有し、支柱に対する前記支持部材の着脱状態に関らず、前記光源部に電力を供給可能に構成されるものである。
【発明の効果】
【００１６】
本発明の効果として、以下に示すような効果を奏する。
【００１７】
請求項１に示す構成としたので、取り外された器具本体の取扱性及び利便性を容易に向上できる。そのため、災害時に照明灯が倒壊又は破損して光源が不足する場所まで器具本体を移動させることで、かかる場所の光源を確保することができる。
【００１８】
請求項２に示す構成としたので、支持部材の着脱作業が容易であり、また、既存の支柱に対しても支持部材を容易に取り付けることができる。
【００１９】
請求項３に示す構成としたので、支持部材を安定に位置決めして固定することができ、器具本体の利便性をさらに向上できる。
【００２０】
請求項４に示す構成としたので、平時は、青色光による犯罪抑止（若しくは防止）の効果が期待できるとともに、災害時には、器具本体を取り出すことで、白色光による手明かり用の照明器具としての機能を発揮することができる。
【００２１】
請求項５に示す構成としたので、取り外された器具本体の取扱性及び利便性を容易に向上できる。そのため、災害時に照明灯が倒壊又は破損して光源が不足する場所まで、器具本体を移動させることで、かかる場所の光源を確保することができる。
【００２２】
請求項６に示す構成としたので、夜間照明用の電力を蓄電装置に蓄電された電力により賄うことができるため、省電力に寄与するこがとができる。また、照明器具への配電線等の敷設が不要であるため、設置場所を選ばず、街路やその周辺環境の設計が容易となる。
【００２３】
請求項７に示す構成としたので、支持部材が支柱から取り外された状態であっても、器具本体及び支持部材の重量が増大することなく、その取扱性を向上できる。また、各器具本体等に独立の電源装置（例えば、蓄電装置など）を設けるものではないため、その製造コストを低減できる。
【発明を実施するための最良の形態】
【００２４】
次に、発明を実施するための最良の形態を説明する。
図１は本発明の一実施例に係る照明器具を備えた照明灯の全体的な構成を示した側面図、図２は器具本体及び支持部材の側面図、図３は光源部の平面図である。図４は支柱に支持部材を取り付けた状態を示した側面図、図５は同じく支柱に支持部材を取り付けた状態を示した部分断面図、図６は機台の斜視図、図７は支持部材を機台に取り付けた状態を示した部分断面図、図８は各電線の接続状態を示した機能ブロック図、図９は図１のＡ−Ａ矢視断面図、図１０は別実施例の照明灯の図１におけるＡ−Ａ矢視断面図である。
【００２５】
図１に示すように、本実施例の照明器具２は、屋外に設けられた街路灯や防犯灯などの照明灯１００を構成し、具体的には、照明灯１００としては、屋外に設けられた支柱１と、支柱１に取り付けられる屋外用の照明器具２等とで構成されている。
【００２６】
まず、支柱１の構成について、以下に概説する。
図１に示すように、支柱１は、断面円柱及び四角柱の柱状筐体が連結されて形成されており、地表面に対して略垂直に立設されている。本実施例の支柱１は、上下方向の中途部に照明器具２を構成する器具本体２０及び支持部材２２が取り付けられるとともに、自動蓄電手段として、太陽電池がモジュール化して敷設された太陽電池パネル１０・１０と、太陽電池パネル１０で発電された電力を蓄電する蓄電装置１１等とが設けられている。
【００２７】
なお、本実施例の支柱１は、蓄電装置１１が収納される蓄電装置収納部１ａと、蓄電装置収納部１ａの下方であって後述するケーブルリール３０・３０が収納されるケーブルリール収納部１ｂと、ケーブルリール収納部１ｂの下方であって後述する機台２４・２４が収納される機台収納部１ｃとに区画されている。特に、蓄電装置収納部１ａ及びケーブルリール収納部１ｂは、支柱１の内部空間に収容されている。このように、支柱１の下方内部が区画されることで、蓄電装置収納部１ａやケーブルリール収納部１ｂでの結露を防止することができる。
【００２８】
蓄電装置１１は、支柱１の下方部に配設され、バッテリー（その個数は問わない）やコントローラ等とで構成されている。なお、この蓄電装置１１に蓄電された電力は、照明器具２の光源部２１の電力として、後述する電線２５〜２７を介して光源部２１に供給される（図８等参照）。
【００２９】
このように、本実施例の支柱１に自動蓄電手段が設けられることで、照明灯１００としては、夜間照明用の電力を太陽光により賄うことができるため、省電力に寄与するこがとできる。また、蓄電装置１１として独立電源を備えているため、照明器具２への配電線等の敷設が不要であるため、設置場所を選ばず、街路やその周辺環境の設計が容易となる。
【００３０】
また、本実施例の照明灯１００では、支柱１の側壁に、支柱１の中心軸に対して直交する方向に伸縮自在に摺動可能なステップ１８・１８が設けられている。このステップ１８・１８は、摺動操作されることによって、支柱１の内部方向に押し込まれた状態と、支柱１の壁面から略水平方向に突出された状態とに切り換えられる。
【００３１】
このようにステップ１８を設けることで、オペレータは、ステップ１８・１８を支柱１の側壁から突出された状態に切り換えて、ステップ１８・１８を踏み台にすることで、支柱１の上方位置、例えば、器具本体２０や支持部材２２が取り付けられる位置まで容易に上がることができる。そのため、後述するように、器具本体２０（支持部材２２）の取り外しや、太陽電池パネル１０のメンテナンス等を容易に行うことができる。
【００３２】
次に、照明器具２の構成について、以下に説明する。
本実施例の照明器具２は、支柱１に対して着脱可能に取り付けられる器具本体２０と、器具本体２０の下面に設けられる光源部２１とを備えてなり、さらには、器具本体２０と一体的に接続される支持部材２２と、支柱１の側壁に支持部材２２を着脱可能に取り付ける取付部材としてのボルト２３及び支持管２８と、支柱１より取り外された支持部材２２を立設させる立設部材としての機台２４と、支柱１に対する器具本体２０の着脱状態に関らず器具本体２０に電力を供給可能な電力供給部材としての電線２５等とで構成されている。
【００３３】
以下、照明器具２を構成する各部材について、詳細に説明する。
【００３４】
図１及び図２に示すように、器具本体２０は、アルミダイキャスト（若しくはステンレス鋼製）より半砲弾型に形成され、平面状砲弾面に光源部２１が設けられる。また、器具本体２０の下面は、光源部２１を覆うようにしてグローブ２０ａ（透光性カバー）が取り付けられている。
【００３５】
器具本体２０は、後述する支持部材２２を介して、前後方向軸をやや上方に向けた基本姿勢で、支柱１に複数（本実施例では３個）取り付けられる。この複数の器具本体２０は、それぞれ支柱１の軸中心から半径方向に沿って放射状となるように配置される。
また、器具本体２０は、地表面から所定距離だけ離間するように位置されている。この所定距離は、照明灯１００の設置場所や、光源部２１の照度及び輝度等に応じて適宜設定される。本実施例では、器具本体２０が地表面から約３．５ｍ垂直上方に位置される。
【００３６】
図２及び図３に示すように、光源部２１は、横断面形状に対応した板面状の照射部として構成されており、光源としての複数の白色ＬＥＤ２１ａ・２１ａ・・・が固定された白色ＬＥＤ基板と、光源としての複数の青色ＬＥＤ２１ｂ・２１ｂ・・・が固定された青色ＬＥＤ基板とで構成されている。具体的には、光源部２１は、器具本体２０の長手方向に沿って各白色ＬＥＤ２１ａ及び青色ＬＥＤ２１ｂが、同一平面上に所定のピッチとなるように、略等間隔に、千鳥格子状若しくは碁盤升目状等の行列に配設される。そして、白色ＬＥＤ２１ａが中央部に、青色ＬＥＤ２１ｂが短手方向の両側に位置するように配設される。
【００３７】
このように、光源としてＬＥＤを用いることで、蛍光ランプ等を用いた場合と比較して、その消費電力を１０％〜１５％に抑えることができるとともに、長寿命化によるメンテナンスコストも大幅に低減できる。
また、本実施例のように、光源部２１に、白色ＬＥＤ２１ａと青色ＬＥＤ２１ｂとを所定のレイアウトで配置することで、白色系と青色系の２色の照射光を同時に照射することができる。そして、光源部２１から青色系の照射光が照射されることで、平時は、青色光による犯罪抑止（若しくは防止）の効果が期待できるとともに、災害時には、器具本体２０を取り出すことで、白色光による手明かり用の照明器具としての機能を発揮することができる。
【００３８】
図２に示したように、支持部材２２は、所定長さＬの中空の断面柱形状に形成され、一端部が器具本体２０と一体的に接続されている。具体的には、支持部材２２は、断面円柱（又は四角柱）の柱状筐体より形成され、一端部において器具本体２０が前後方向軸をやや上方に向けた姿勢で相対位置変動不能となるように固定される。支持部材２２の所定長さＬは、後述するように、支持部材２２が機台２４に取り付けられた状態（図７参照）で、地表面から器具本体２０までの離間が０．５ｍ〜１．５ｍ程度となるように調整される。
【００３９】
なお、支持部材２２には、側壁を軸心方向に対し直交する方向に貫通した複数の貫通孔２２ａ・２２ａ・・・が穿設されている。具体的には、貫通孔２２ａは、支持部材２２の軸心方向に沿って２箇所に設けられており、後述するボルト２３が貫通孔２２ａに挿通される。
【００４０】
図４及び図５に示すように、本実施例の取付部材は、上述した器具本体２０及び支持部材２２とは別体に構成されたボルト２３と、上述した支持部材２２が挿入される支持管２８とで構成される。支持部材２２は、支持管２８に挿入された状態で支柱１の側壁の所定位置に略垂直に取り付けられ、支持部材２２に穿設された貫通孔２２ａ・２２ａ・・・及び支持管２８に穿設された貫通孔２８ａ・２８ａ・・・にボルト２３が挿通されることによって、位置決めして固定される。なお、本実施例では、支柱１の円周方向に沿って３つの支持部材２２（及び器具本体２０）が取り付けられる。
【００４１】
支持管２８は、一端が開口された断面円形の管状の部材であって、支柱１の側壁に溶接等による固定部２９を介して２箇所に固定され、具体的には、支柱１に取り付けられた状態で、支柱１の軸心方向に沿うようにして開口部を上方に向けて固定される。支持部材２２は、支持管２８の開口部から挿通され、器具本体２０が取り付けられる側の反対側の端部が支持管２８の閉止部（閉止端）に当接されることで、軸心方向の位置決めがされる。また、支持部材２２は、支持管２８に挿入された状態では、円周方向に回転自在であるため、ボルト２３によって締結されない状態で回転操作することで、器具本体２０の向きを自在に変更することができる。
【００４２】
支柱１の側壁には、支持部材２２に穿設された各貫通孔２２ａ等に対応する位置に、取付孔１２・１２・・・が穿設されており、支持部材２２を支柱１に取り付ける際には、支持部材２２の貫通孔２２ａ等に挿通されたボルト２３が、支柱１の取付孔１２に嵌合されることによって、支持部材２２が所定位置に回転不能に位置決め固定される。また、ボルト２３が緩められることによって、支柱１から支持部材２２が取り外される。
【００４３】
図６及び図７に示すように、本実施例の立設部材は、上述した器具本体２０及び支持部材２２とは別体に構成された板状部材より形成され、本実施例では、板状に形成された機台２４が用いられる。なお、本実施例の機台２４は、支持部材２２の個数（本実施例では３個）より少ない２個用意されている。
機台２４は、一対の板部２４ａ・２４ａがヒンジ部材２４ｂを介して開閉自在に接続されており、一方の板部２４ａの平面部の略中央部よりもずれた位置に取付軸部２４ｃが略垂直に突設されている。この取付軸部２４ｃが支持部材２２の他端部（器具本体２０が取り付けられる側とは反対側の端部）から、支持部材２２の中空部に挿入される。
【００４４】
支持部材２２が機台２４に取り付けられた状態では、板部２４ａ・２４ａが略水平に広げられた状態で、支持部材２２が機台２４の平面部に対して略垂直に立設され、器具本体２０が前後方向軸をやや上方に向けた姿勢で固定される。かかる状態では、上述したように、地表面から器具本体２０までの離間が０．５ｍ〜１．５ｍ程度となるように調整される。このように、板部２４ａ・２４ａが略水平に広げられることで、器具本体２０を安定して支持することができる。
【００４５】
なお、各機台２４は、平時、すなわち支柱１に支持部材２２が取り付けられている状態では、板部２４ａ・２４ａがヒンジ部材２４ｂを介して相互に当接するように折りたたまれた状態で、支柱１の下部の機台収納部１ｃに、取付軸部２４ａが支柱１の中心軸方向に向くように略垂直に建て付けた状態で取り付けられている（図１参照）。
【００４６】
また、本実施例では、支柱１の下部の機台収納部１ｃに２組の機台２４を同時に取り付けることができる。そのため、取付軸部２４ａの機台２４の平面部からの突出長さは、支持部材２２を立設させることのできる範囲で、短くなるように形成されることが好ましい。また、板部２４ａの略中央部よりずれた位置に取付軸部２４ｃが設けられることで、各機台２４・２４間の取付軸部２４ｃが抵触することがない。
【００４７】
図４、図５、図７及び図８に示すように、本実施例の照明灯１００は、支柱１に対する器具本体２０の着脱状態に関らず、光源部２１に電力を供給可能に構成されており、具体的には、照明器具２に設けられた電線２５と、蓄電装置１１から延出された２系統の電線２６・２７とが設けられている。
電線２５は、一端が器具本体２０の光源部２１に接続され、他端部がプラグ２５ａ・２６ａ・２７ａを介して、蓄電装置１１から２系統に延出された電線２６・２７とそれぞれコンセント式に取り外し可能に接続される。本実施例では、電線２５は、光源部２１から支持部材２２の中空部に延設され、支持部材２２の側壁から外部に延出されている（例えば、図７参照）。
【００４８】
また、蓄電装置１１から延出される電線の内、電線２６は、一端が上述した蓄電装置１１に接続され、他端が蓄電装置１１から支柱１の上部位置であって、支持部材２２（器具本体２０）が取り付けられる近傍位置まで延長されている。そして、電線２６は、支柱１に取り付けられた器具本体２０の光源部２１より延設された電線２５とプラグ２５ａ・２６ａを介して接続されている（例えば、図４、図５参照）。本実施例では、支柱１には、複数（３個）の器具本体２０が取り付けられるため、電線２６は３本設けられており、蓄電装置１１から対応する器具本体２０（の光源部２１）にそれぞれ接続可能されている。
【００４９】
一方、蓄電装置１１から延出される電線の内、電線２７は、一端が蓄電装置１１に接続され、他端が支柱１の下部位置に設けられた自動巻取り式のケーブルリール３０に巻回され、支柱１に対して外部方向に伸縮自在となるように配設されている。そして、電線２７は、他端が支柱１から取り外された器具本体２０の光源部２１より延設された電線２５とプラグ２５ａ・２７ａを介して取り外し可能に接続されている（図７参照）。
本実施例では、支柱１には、複数（２個）のケーブルリール３０が取り付けられるため（図１参照）、電線２７は２本設けられており、蓄電装置１１から対応するケーブルリール３０にそれぞれ巻回されて、器具本体２０（の光源部２１）に接続可能とされている。
【００５０】
特に、本実施例の電線２７は、ケーブルリール３０に巻回されることで、支柱１に対して他端が１０ｍ〜２０ｍ伸縮自在とされているため、支柱１から取り外された照明器具２との離間に関らず、支柱１から伸縮させて照明器具２の電線２５と接続することができる。
【００５１】
なお、蓄電装置１１からの電力は、各電線２５・２６・２７の中間部に設けられた図示せぬインバータ等によって、ＤＣ電力（直流電力）がＡＣ電力（交流電力）に変換しかつ増幅されて光源部２１に供給される。
【００５２】
図８に示すように、本実施例の照明灯１００は、平常時は、通常支柱１に３個の器具本体２０が取り付けられる。このとき、支柱１に取り付けられた器具本体２０の光源部２１より延設された電線２５と電線２６とが、プラグ２５ａ・２６ａを介して接続される（図８（ａ）参照）。
そして、災害時には、支柱１から取り外された２個の器具本体２０が、同じく支柱１から取り外された機台２４・２４にそれぞれ固定される。このとき、器具本体２０の光源部２１より延設された電線２５とケーブルリール３０・３０より延出された電線２７とが、プラグ２５ａ・２７ａを介して接続される（図８（ｂ）参照）。
【００５３】
このように、災害時には、少なくとも支柱１に１個の器具本体２０が残されることで、周囲への照明機能を維持しつつ、取り外された器具本体２０によって手明かり用の照明機能を発揮することができる。ただし、必ずしも災害時であっても支柱１の器具本体２０を取り残す必要はない。
【００５４】
また、本実施例の照明灯１００では、図１及び図９に示すように、支柱１において、支柱１に取り付けられた支持部材２２の取付箇所を覆うように構成されたカバー構造１３が設けられている。具体的には、カバー構造１３は、支柱１の側壁形状に沿うようにして、平面視半円状に湾曲形成された一対のカバー１４・１４と、カバー１４・１４の一辺を回動可能に接続するヒンジ部１５等とで構成されている。
【００５５】
カバー１４・１４は、ヒンジ部１５を介して連結され、ヒンジ部１５において固定部材１６を介して支柱１に固定されている。
カバー１４・１４が閉じられた状態では、支持部材２２の取付箇所、具体的には、ボルト２３・２３によってネジ締め固定された箇所がカバー１４・１４によって覆われて、外部から接触することができないように構成されている。このとき、カバー１４・１４の外側面に設けられた鍵部材１７によって、カバー１４・１４の閉止状態が維持される。
支持部材２２が支柱１より着脱される際には、カバー１４・１４がヒンジ部１５を中心に左右方向に回動（観音開き）されて、支持部材２２の取付箇所が外部に開放される。
【００５６】
このようにカバー構造１３が設けられることで、平時は、支持部材２２の取付箇所がされるため、視覚的に取り外すことができないように見せ掛けることができ、故意に支持部材２２が取り外されたりするのを防止することができる。
【００５７】
以上のように、本実施例の照明器具２は、屋外に設置された支柱１に対して着脱可能に取り付けられる器具本体２０と、器具本体２０の下面に設けられる光源部２１とを備えてなる照明器具２であって、断面柱形状に形成され、一端部が器具本体２０と一体的に接続された支持部材２２と、支柱１の側壁に支持部材２２を着脱可能に取り付けるボルト２３及び支持管２８と、支柱１から取り外された支持部材２２を前記光源部２１が略垂直下方を向くようにして立設させる機台２４とを具備してなるものである。
【００５８】
このような構成とすることで、取り外された器具本体２０の取扱性及び利便性を容易に向上できる。すなわち、支柱１より取り外された器具本体２０を、光源部２１が略垂直下方を向くような状態を維持した状態で固定させることができるため、例えば、器具本体２０を所定の場所に搬送させた後であっても、地面等に容易に位置決めして、その照射光による照射先を安定させることができるとともに、器具本体２０を高所に置いた場合であっても、安定して照射光を下方に向けて照射させることができる。そして、例えば、災害時に照明灯が倒壊又は破損して光源が不足する場所まで器具本体２０を搬送することで、かかる場所の光源を容易に確保することができ、救護活動の際に必要な手明かり用の照明器具として用いることができる。
【００５９】
また、本実施例の取付部材は、支持部材２２を挿入支持する支持管２８と、支持管２８と支持部材２２とを一体的に固定するボルト２３とより形成されるため、支持部材２２の着脱作業が容易であり、また、既存の支柱１に対しても支持部材２２を容易に取り付けることができる。
【００６０】
また、本実施例の立設部材は、支持部材２２の他端部が略直角に取り付けられる機台２４より形成されるため、支持部材２２を安定に固定することができ、器具本体２０の利便性をさらに向上できる。
【００６１】
特に、本実施例の照明灯１００は、蓄電装置１１から延出された２系統の電線２６・２７を有し、支柱１に対する支持部材２２の着脱状態に関らず、光源部２１に電力を供給可能に構成されているため、支持部材２２が支柱１から取り外された状態であっても、器具本体２０及び支持部材２２の重量が増大することなく、その取扱性を向上できる。また、各器具本体２０等に独立の電源装置（例えば、蓄電装置など）を設けるものではないため、その製造コストを低減できる。
【００６２】
なお、本実施例の照明灯１００及び照明器具２の構成としては、上述した構成に限定されない。
【００６３】
すなわち、支柱１の構成は、上述した実施例に限定されず、例えば、支柱１の上端部に風向きを検出するための風向計などが設けられてもよく、太陽電池パネル１０のパネル面を向ける方位を示す方位表示が設けられてもよい。
また、上述した自動蓄電手段を設けることなく、別途、支柱１に取り付けられた照明器具２に電力を供給するための配電線が敷設されてもよい。かかる場合には、電力供給部材（電線）は、配電線若しくは電源装置に接続される。
【００６４】
器具本体２０の構成は、上述した実施例に限定されず、例えば、支柱１に取り付けられる器具本体２０は、１個〜複数個の間で適宜変更することができるように構成されてもよい。かかる場合には、支柱１には、予め、複数個の支持部材２２を取り付けることができ、かつ、自由な位置に支持部材２２を取り付けることができるように構成することができる。
例えば、図１０に示すように、支柱１の外壁に円周方向に沿って複数の支持管２８（７個）を予めとりつけておき、任意の支持管２８（隣接する３個の支持管２８）に支持部材２２（器具本体２０）を取り付けることで、照射光を任意の方向に集中させることができ、照明灯１００の設置環境に応じて適宜照明光の照射方向を切り換えることができる。
【００６５】
光源部２１の構成としては、上述した実施例に限定されず、例えば、光源としてＬＥＤを用いることなく、蛍光灯や白熱灯が用いられてもよい。また、単一光の照射光を照射するように、単一の光源より構成されてもよい。なお、光源として白色ＬＥＤ２１ａを用いる場合には、特に、超高光度（１０．００〜３５．００ｃｄ、２５℃、２０ｍＡ）で発光特性に優れたＬＥＤが好ましく用いられる。また、青色光の光源としては、青色ＬＥＤ２１ｂを用いる他に、ガラス着色により青色系の照射光を照射可能な光源を用いることができる。
また、上述した実施例のように、白色系と青色系の２色の照射光を同時に照射する構成としては、特に限定されず、好ましくは、器具本体２０の略垂直下方位置を白色に発光させるとともに、器具本体２０及び／又はその近傍位置を青色に発光させるように構成される。
【００６６】
支持部材２２の構成としては、上述した実施例に限定されず、例えば、一端部において器具本体２０との取り付け角度が調整自在となるように接続されてもよい。このように調整自在に構成することで、照明器具２としての利便性がより向上される。
また、支持部材２２は、軸心方向に伸縮自在に構成されてもよい。かかる場合には、器具本体２０の設置場所に応じて地表面から光源部２１までの離間を調節することができ、取り外された器具本体２０の利便性が向上される。
【００６７】
取付部材の構成としては、上述した実施例に限定されず、上述したボルト２３の他に、棒状に形成された位置決め用のちょうネジやピン等のネジ部材が用いられてもよい。また、支持管２８が設けられることなく、ネジ部材によって支持部材２２を支柱１に直接固定するように構成されてもよい。
また、上述した実施例では、取付部材は、器具本体２０及び支持部材２２とは別体であって、かつ支柱１とも別体に構成されているが、例えば、位置決め用のピンが支柱１の側壁に予め突設されてもよい。かかる場合には、支柱１の側壁に立設されたピンが支持部材２２の貫通孔２２ａに貫通されることで、支持部材２２が支柱１に取り付けられる。
また、例えば、支柱１側に取り付けられる取付基部と、支持部材２２側に取り付けられ、取付基部に対して係脱可能な係合部材とより構成されてもよい。
【００６８】
立設部材としては、上述した機台２４の他に、支持部材２２を略垂直に立設させる部材であれば特に限定されない。例えば、板状部材の他に、三脚構造を有する部材や、円柱又は円錐形状の部材等とで構成されてもよい。
また、上述した実施例の立設部材は、支持部材２２等と別体に構成されているが、例えば、支持部材２２の他端部に予め取り付けられてもよい。かかる場合には、板状部材（機台２４）のような構成ではなく、例えば、三脚構造を有する部材より構成される。
【００６９】
また、上述した実施例における電線２６・２７の本数やケーブルリール３０等の個数や配置等は、特に限定されない。例えば、蓄電装置１１より延出される電線の本数は、照明灯１００に設けられる照明器具２の個数に応じて適宜増減することができる。
【００７０】
自動蓄電手段としては、上述した実施例に限定されず、太陽電池（太陽電池パネル１０）の他に（又は太陽電池（太陽電池パネル１０）に加えて）、風力発電装置を有するように構成されてもよい。
【図面の簡単な説明】
【００７１】
【図１】本発明の一実施例に係る照明器具を備えた照明灯の全体的な構成を示した側面図。
【図２】器具本体及び支持部材の側面図。
【図３】光源部の平面図。
【図４】支柱に支持部材を取り付けた状態を示した側面図。
【図５】同じく支柱に支持部材を取り付けた状態を示した部分断面図。
【図６】機台の斜視図。
【図７】支持部材を機台に取り付けた状態を示した部分断面図。
【図８】各電線の接続状態を示した機能ブロック図。
【図９】図１のＡ−Ａ矢視断面図。
【図１０】別実施例の照明灯の図１におけるＡ−Ａ矢視断面図。
【符号の説明】
【００７２】
１    支柱
２    照明器具（屋外用照明器具）
２０    器具本体
２１    光源部
２２    支持部材
２３    ボルト（取付部材）
２４    機台（立設部材）
２５、２６、２７    電線
２８    支持管（取付部材）
１００    照明灯
【図１】
2008198442.tif 000003
【図２】
2008198442.tif 000004
【図３】
2008198442.tif 000005
【図４】
2008198442.tif 000006
【図５】
2008198442.tif 000007
【図６】
2008198442.tif 000008
【図７】
2008198442.tif 000009
【図８】
2008198442.tif 000010
【図９】
2008198442.tif 000011
【図１０】
2008198442.tif 000012